(57)【要約】【課題】視標光学系及び眼底反射指標受光光学系に係る光学系を非常にシンプルな構成として、使用する部品点数も少なくすることによって小型化を実現した眼科測定装置を提供する。【解決手段】眼底指標投影光学系と、眼底で反射した指標像を分光手段を介して光電変換手段に導く眼底反射指標受光光学系と、分光手段を介して、被検眼に固視させるための視標を提示する視標光学系と、を備える眼科測定装置であって、光電変換手段と視標と分光手段とが、分光ユニットとして一体的に光軸方向に移動可能に構成されており、眼底反射指標受光光学系における被検眼から分光手段までの光路と、視標光学系における被検眼から分光手段までの光路とが共通化されている。【選択図】図２
2007159850.tif 000002
【特許請求の範囲】
【請求項１】
眼屈折度を測定するための指標を被検眼の眼底に投影する眼底指標投影光学系と、
眼底で反射した指標像を分光手段を介して光電変換手段に導く眼底反射指標受光光学系と、
前記分光手段を介して、被検眼に固視させるための視標を提示する視標光学系と、
を備える眼科測定装置であって、
光電変換手段と視標と分光手段とが、分光ユニットとして一体的に光軸方向に移動可能に構成されており、
眼底反射指標受光光学系における被検眼から分光手段までの光路と、視標光学系における被検眼から分光手段までの光路とが共通化されていることを特徴とする眼科測定装置。
【請求項２】
分光手段から視標までの光路長が分光手段から光電変換手段までの光路長よりも長く構成されているとともに、視標を雲霧状態にして測定することを特徴とする、請求項１記載の眼科測定装置。
【発明の詳細な説明】
【技術分野】
【０００１】
本発明は、レフラクトメータやレフケラトメータ等の、被検眼の眼屈折力を測定する機能を有する眼科測定装置に関する。
【背景技術】
【０００２】
被検眼１０１の眼屈折力を測定する眼科測定装置は、図１に示すように、前眼部観察光学系１２０と、被検眼１０１に視標１５２を提示する視標光学系１５０と、被検眼眼底１０３に眼底指標光を投影するレフ投光部１１０と、眼底１０３で反射した眼底指標像をＣＣＤセンサ１３２上で受光する受光光学系１３０とを備えている。そして、これらの光学系は、別個の専用光学系として装置に組み込まれている。
【０００３】
視標光学系１５０及び受光光学系１３０を専用光学系として個々に構成することは、各光学系に反射ミラー１４８や結像レンズ等の光学部品を必要とするために、コスト的に非常に高いものになってしまうという問題がある。
【０００４】
また、被検眼１０１を十分に弛緩させた調節弛緩の状態にして調節弛緩状態の被検眼１０１が視標１５２を固視するという雲霧機能を視標光学系１５０が有している場合、雲霧状態を形成するために視標１５２を動かす視標駆動機構を視標光学系１５０が備えているので、視標光学系１５０が複雑になり、装置が大型化するという問題もある（例えば、特許文献１を参照）。
【０００５】
【特許文献１】特開昭５７−２５８３４号公報
【発明の開示】
【発明が解決しようとする課題】
【０００６】
したがって、本発明の解決すべき技術的課題は、視標光学系及び眼底反射指標受光光学系に係る光学系を非常にシンプルな構成として、使用する部品点数も少なくすることによって小型化を実現した眼科測定装置を提供することである。
【課題を解決するための手段及びその作用と効果】
【０００７】
上述の技術的課題を解決するために、本発明に係る眼科測定装置は、以下の特徴を有する。
【０００８】
すなわち、本発明に係る眼科測定装置は、
眼屈折度を測定するための指標を被検眼の眼底に投影する眼底指標投影光学系と、
眼底で反射した指標像を分光手段を介して光電変換手段に導く眼底反射指標受光光学系と、
前記分光手段を介して、被検眼に固視させるための視標を提示する視標光学系と、
を備える眼科測定装置であって、
光電変換手段と視標と分光手段とが、分光ユニットとして一体的に光軸方向に移動可能に構成されており、
眼底反射指標受光光学系における被検眼から分光手段までの光路と、視標光学系における被検眼から分光手段までの光路とが共通化されていることを特徴とする。
【０００９】
上記構成の眼科測定装置によれば、眼底反射指標受光光学系及び視標光学系の各光学系において、被検眼から分光手段までの光路が共通化されている。したがって、従来の眼科測定装置が、眼底反射指標受光光学系及び視標光学系という２つの専用光学系から構成されていたのに対して、本発明の眼科測定装置は、被検眼から分光手段までの光学系が共通化されているので、非常にシンプルな光学系となっており、使用する部品点数も少なくなり、小型化を実現することができる。
【００１０】
分光手段から視標までの光路長が分光手段から光電変換手段までの光路長よりも長く構成されているとともに、視標を雲霧状態にして測定する。
【００１１】
上記構成によれば、視標にピントが合っているものの光電変換手段にはピントの合っていない状態から、被検眼の調節力が働かない遠用位置まで分光ユニットを動かして、光電変換手段にピントが合っている合焦位置に位置決めする一方で、視標にはピントが合っていない状態すなわち雲霧位置に位置決めされているので、被検眼の眼屈折度が正確に測定される。
【発明を実施するための最良の形態】
【００１２】
以下に、本発明に係る眼科測定装置の一実施形態を、図２乃至５を参照しながら詳細に説明する。
【００１３】
図２は、本発明の一実施形態に係る眼屈折力測定装置の測定光学系を説明する説明図であり、図３は、図２の眼科測定装置において被検眼が明視状態にあることを示すものであり、図４は、図２の眼科測定装置において視標が雲霧状態にあることを示す図であり、図５は、眼屈折度の測定を行う際のフローチャートである。
【００１４】
眼屈折力測定装置の測定光学系は、図２に示すように、光軸７と、被検眼１の前眼部像を光電検出器としてのＣＣＤセンサ２２上に結像させる前眼部観察光学系２０と、被検眼１の眼底３にレフ測定用指標光を投影するレフ投光部１０と、眼底３で反射した眼底指標像を光電検出器としてのＣＣＤセンサ３２上に結像させる眼底指標像受光光学系３０と、被検眼１に視標５２を提示する視標光学系５０とを備えている。
【００１５】
接眼レンズ２８の近傍に不図示の照明用光源を設けており、照明用光源から出射された照明光によって、被検眼１の前眼部が照明され、被検眼１の前眼部が観察される。前眼部観察光学系２０において、前眼部像は、接眼レンズ２８、ハーフミラー２６、及び合焦レンズ２４を経てＣＣＤセンサ２２上に導かれる。
【００１６】
眼底指標光投影光学系は、レフ投光部１０、穴開きミラー４６、ハーフミラー２６、及び接眼レンズ２８から構成される。レフ投光部１０は、眼底指標光投影光源、第１マスク、投影レンズ、及び第２マスクからなる。眼底指標光投影光源、第１マスク、投影レンズ、及び第２マスクは、いずれも不図示であるが、第２マスクは、接眼レンズ２８に対して角膜と共役な位置に配置される。レフ投光部１０において、光軸７に対して規定の入射角及び入射高さに設定された眼底指標光投影光源からのビーム光が、光源側から順に、第１マスク、投影レンズ、及び第２マスクを通過することによって、レフ測定用指標光が出射される。このレフ測定用指標光は、穴開きミラー４６、ハーフミラー２６、接眼レンズ２８を経て、被検眼１に投影されて、被検眼１の眼底３で反射した眼底指標像が形成される。
【００１７】
眼底指標像受光光学系３０においては、被検眼１の側から順に、接眼レンズ２８、ハーフミラー２６、穴開きミラー４６、結像レンズ４２、分光手段としてのハーフミラー４４及び光電変換手段としてのＣＣＤセンサ３２が配置されている。そして、ハーフミラー４４及びＣＣＤセンサ３２は、後述するように、視標５２を含んで一体化された分光ユニット４０に取り付けられており、光軸７に対して前後に移動自在であるように構成されている。分光ユニット４０には、分光ユニット４０を光軸７に沿って平行移動させるための駆動手段が設けられている。
【００１８】
眼底指標像受光光学系３０において、穴開きミラー４６は、接眼レンズ２８に対して角膜と共役な位置に配置されている。眼底３で反射した眼底反射像が穴開きミラー４６の貫通穴に導かれ、穴開きミラー４６を通過した眼底指標像の光は、結像レンズ４２によってＣＣＤセンサ３２上で結像される。
【００１９】
視標光学系５０においては、被検眼１の側から順に、接眼レンズ２８、ハーフミラー２６、穴開きミラー４６、結像レンズ４２、分光手段としてのハーフミラー４４及び視標５２が配置されている。
【００２０】
分光ユニット４０は、ハーフミラー４４、ＣＣＤセンサ３２及び視標５２を含む筐体から構成されている。分光ユニット４０は、分光手段としてのハーフミラー４４を介して、被検眼１からの光をＣＣＤセンサ３２に導くとともに、視標５２を被検眼１に提示するように構成されている。分光ユニット４０は種々の公知の駆動手段によって光軸方向に移動される。したがって、筐体に収納されたハーフミラー４４、ＣＣＤセンサ３２及び視標５２は、一体的に移動する。駆動機構として、例えば、分光ユニット４０が光軸７に対して平行にスライドするように分光ユニット４０にラックを取り付けるとともに、モータの回転軸にピニオンを取り付けた機構を用いることができる。
【００２１】
本発明の眼科測定装置では、眼底反射指標受光光学系３０における被検眼１からハーフミラー４４までの光路と、視標光学系５０における被検眼１からＣＣＤセンサ３２までの光路とが共通化されている。例えば、ハーフミラー４４から視標５２までの光路長と、ハーフミラー４４からＣＣＤセンサ３２までの光路長とが大略等しいように構成してもよい。
【００２２】
したがって、本発明の眼科測定装置は、被検眼１からハーフミラー２６までの光学系が共通化されているので、非常にシンプルな光学系となっており、使用する部品点数も少なくなっていることから、小型化を実現されている。
【００２３】
図３及び４を参照しながら、眼底反射指標受光光学系３０におけるＣＣＤセンサ３２と視標光学系５０における視標５２との位置関係を、正視眼の場合について説明する。
【００２４】
図３は、被検眼１が明視状態にあることを示しており、分光ユニット４０において、ＣＣＤセンサ３２は眼底に対してピントの合った位置から−１乃至−２ディオプタの位置に配置されているとともに、視標５２は遠用位置すなわち明視位置（眼底に対してピントの合った位置）に配置されている。したがって、ハーフミラー４４から視標５２までの光路長がハーフミラー４４からＣＣＤセンサ３２までの光路長よりも長く構成されている。
【００２５】
図４は、被検眼１の眼屈折力を測定する状態を示しており、視標５２が雲霧状態にあることを示している。図４は、図３と比較して、ＣＣＤセンサ３２が眼底に対してピントの合った位置にあるとともに、視標５２が眼底に対してピントの合った位置から＋１乃至＋２ディオプタの位置にあるように、分光ユニット４０を光軸７に沿って被検眼１の反対側に移動する。したがって、図４は、ハーフミラー４４から視標５２までの光路長がハーフミラー４４からＣＣＤセンサ３２までの光路長よりも長いという状態を維持したまま、ＣＣＤセンサ３２が合焦状態であって視標５２が雲霧状態にあることを示している。
【００２６】
次に、図５を参照しながら、被検眼１の眼屈折度を測定する方法について説明する。
【００２７】
図２に示した眼科測定装置において、ステップ＃１００で眼屈折度の測定がスタートする。測定の開始当初においては、眼科測定装置の光学系は、正視眼の合焦位置を基準にした初期位置に位置決めされている。
【００２８】
ステップ＃１１０で、被検眼１がどのくらいの調節力を持っているかという事前情報を得るために、被検者が接眼レンズ２６を通して装置内部をのぞいて、被検眼１が接眼レンズ２６を通して視標５２を固視した状態で、眼屈折度の仮測定が開始される。仮測定後、ステップ＃１２０で、被検眼１のおおよその眼屈折度が算出される。
【００２９】
ステップ＃１３０で、上記の仮眼屈折度に基づいて、分光ユニット４０を光軸７に沿って所定量移動させて、図３に示したように、被検眼１が明視状態となる位置に分光ユニット４０を位置決めする。
【００３０】
ステップ＃１４０で、分光ユニット４０を光軸７に沿って例えば眼底に対してピントの合った位置から＋１．５ディオプタだけ移動させて、図４に示したような視標５２が雲霧状態にある雲霧位置に分光ユニット４０を位置決めする。
【００３１】
このとき、眼底指標像がＣＣＤセンサ３２上で結像した合焦状態になっているので、ステップ＃１５０で、眼屈折度の本測定がスタートする。本測定後、ステップ＃１６０で、被検眼１の正確な眼屈折度が算出される。
【００３２】
ステップ＃１７０で、眼屈折度の測定結果が表示ディスプレイ上に表示されたあと、ステップ＃１８０で、一連の測定が終了する。
【００３３】
なお、不図示ではあるが、ハーフミラー４４から視標５２までの光路長と、ハーフミラー４４からＣＣＤセンサ３２までの光路長とを等しく構成することも可能である。このように構成した場合、被検眼１の眼屈折力を測定する前においては、被検眼１が明視状態にあるときもＣＣＤセンサ３２が眼底に対してピントの合った位置にある。被検眼１の眼屈折力を測定するときには、分光ユニット４０を光軸７に沿って眼底に対してピントの合った位置から＋１乃至＋２ディオプタ程度の大きさで被検眼１の反対側に移動する。その結果、視標５２及びＣＣＤセンサ３２は、眼底に対してピントの合った位置から＋１乃至＋２ディオプタの位置に位置する。したがって、視標５２は雲霧状態位置となる。その一方で、ＣＣＤセンサ３２は非合焦の位置となって、ＣＣＤセンサ３２上に結像した眼底指標像は多少ピントの甘いピンぼけ状態になっているが、多少のピンぼけ状態にある眼底指標像を画像処理することによって、眼屈折力の算出に供することができる。
【００３４】
なお、上記眼科測定装置は、被検眼１の眼屈折力を測定する眼屈折力測定装置について説明したが、被検眼１の角膜形状を測定するための公知の角膜形状測定手段を上述した眼屈折力測定装置にさらに設けて、眼屈折力と角膜形状の両者を測定するレフラクト・ケラトメータとすることもできる。
【図面の簡単な説明】
【００３５】
【図１】従来技術に係る眼科測定装置の光学系を説明する図である。
【図２】本発明の一実施形態に係る眼科測定装置の光学系を説明する図である。
【図３】図２に示した眼科測定装置において被検眼が明視状態にあることを示す図である。
【図４】図２に示した眼科測定装置において視標が雲霧状態にあることを示す図である。
【図５】図２に示した眼科測定装置において眼屈折度の測定を行う際のフローチャートである。
【符号の説明】
【００３６】
１  被検眼
３  眼底
７  光軸
１０  レフ投光部
２０  前眼部観察光学系
２２  ＣＣＤセンサ（光電変換手段）
２４  結像レンズ
２６  ハーフミラー
２８  接眼レンズ
３０  眼底指標像受光光学系
３２  ＣＣＤセンサ（光電変換手段）
４０  分光ユニット
４２  結像レンズ
４４  ハーフミラー（分光手段）
４６  穴開きミラー
５０  視標光学系
５２  視標
【図１】
2007159850.tif 000003
【図２】
2007159850.tif 000004
【図３】
2007159850.tif 000005
【図４】
2007159850.tif 000006
【図５】
2007159850.tif 000007